(57)【要約】【課題】情報の内容やセキュリティ対策が施されていることを目視で確認でき、紙面への圧迫を最小限に抑えたコードを付した情報記録媒体、及びそのようなコードのコード生成方法を提供する。【解決手段】「画像コードユニット」は、図１に示すように、ＱＲコードと呼ばれるマトリクス型の二次元コードである情報コード３５１と、情報コード１の周囲を取り囲むように配置された識別力を有する識別コード３５２を備える。【選択図】      図１
2004342049.tif 000002
【特許請求の範囲】
【請求項１】
被印刷基体と、
前記被印刷基体の表面に配置され、情報コードを構成する、前記被印刷基体とは光学的反射特性の異なる材料からなる第１の薄膜層と、
前記第１の薄膜層の配列パターンの周囲を取り囲むように前記被印刷基体の表面に配置され、前記情報コードを識別する識別コードを構成する、前記被印刷基体とは光学的反射特性の異なる材料からなる第２の薄膜層と
を少なくとも備え、前記情報コードに含まれた画像情報を情報処理機器で光学的に読み取ることにより、通信ネットワーク上の前記画像情報に対応するコンテンツにリンクすることを可能にしたことを特徴とする情報記録媒体。
【請求項２】
情報コードを生成するステップと、
前記情報コードの配列パターンの周囲を取り囲む形状に設計され、前記情報コードの大きさを決定する際に用いた変数によって決定された大きさを有し、含まれる文字の太さは固定値である、前記情報コードを識別する識別コードを生成するステップと、
被印刷基体の表面に前記情報コード及び前記前記識別コードを印刷するステップと
を含むことを特徴とするコード生成方法。
【発明の詳細な説明】
【０００１】
【発明の属する技術分野】
本発明は、新聞、雑誌、パンフレット等の情報記録媒体及び情報記録媒体上に印刷するコードのコード生成方法に関する。
【０００２】
【従来の技術】
従来、様々な情報を有するコードとして、一次元コードや二次元コードが用いられている。一次元コードとは、一次元方向に情報を持つコードであり、二次元コードとは、水平と垂直方向、つまり二次元方向に情報を持つコードである。このようなコードを専用の読み取り装置で読み取ることにより、様々な情報を取得することが可能である（例えば、特許文献１参照。）。
【０００３】
【特許文献１】
特開平７−１０５３０５号公報（段落番号「０００９」、図１）
【０００４】
【発明が解決しようとする課題】
しかし、これらのコードは、専用の読み取り認識装置で読まない限り、情報の内容を判別することは難しい。又、セキュリティ対策が施された安全なコードであるのかを目視で判断することは難しい。
【０００５】
また、二次元コードは、データ量が増えるとコード自体の大きさが大きくなるため、このコードを印刷物等に付した場合、二次元コード自体の大きさで紙面を占めて、圧迫してしまう可能性がある。
【０００６】
上記の問題に鑑み、本発明は、情報の内容やセキュリティ対策が施されていることを目視で確認でき、紙面への圧迫を最小限に抑えたコードを付した情報記録媒体、及びそのようなコードのコード生成方法を提供することを目的とする。
【０００７】
【課題を解決するための手段】
上記目的を達成するため、本発明の第１の特徴は、（イ）被印刷基体と、（ロ）被印刷基体の表面に配置され、情報コードを構成する、被印刷基体とは光学的反射特性の異なる材料からなる第１の薄膜層と、（ハ）第１の薄膜層の配列パターンの周囲を取り囲むように被印刷基体の表面に配置され、情報コードを識別する識別コードを構成する、被印刷基体とは光学的反射特性の異なる材料からなる第２の薄膜層とを少なくとも備え、情報コードに含まれた画像情報を情報処理機器で光学的に読み取ることにより、通信ネットワーク上の画像情報に対応するコンテンツにリンクすることを可能にした情報記録媒体であることを要旨とする。
【０００８】
本発明において、「通信ネットワーク」とは、ＬＡＮ、ＷＡＮ、インターネット、イントラネット等の情報ネットワーク（コンピュータネットワーク）を意味する。又、本発明の「情報記録媒体」は、新聞、雑誌、書籍、カタログ、パンフレットなどの記事情報が掲載された印刷物やシール、ボトル、箱、液晶表示盤等を指す。つまり、第１の特徴に係る「被印刷基体」とは厚さ０．０５ｍｍ〜０．３ｍｍ程度のシート状の被印刷基体であり、新聞、雑誌、書籍等の情報記録媒体においては、酸性紙、中性紙、再生紙、非木材紙、或いはポリプロピレン等からなる合成紙等の有機物（高分子材料）のシート等が該当する。又、「第１又は第２の薄膜層」を構成する「被印刷基体とは光学的反射特性の異なる材料」とは、新聞インキ、オフセットインキ、グラビアインキ等の印刷用のインクや化学的・物理的処理により合成若しくは変化した被印刷基体の表面の加工層等が該当する。第１又は第２の薄膜層の厚さは５μｍ〜１００μｍ程度である。第１及び第２の薄膜層は実質的に同じ材料でも、異なる材料でも構わない。第１及び第２の薄膜層は、凸版印刷、平板印刷、凹版印刷、孔版印刷（スクリーン印刷）、レーザービーム印刷、インクジェット印刷、感熱転写印刷等の種々の手法で形成出来る。
【０００９】
本発明の第１の特徴に係る情報記録媒体によると、情報コードの周りに識別コードが付されているので、ユーザが目視によりどのようなコードであるかを識別することができる。又、識別コードに象徴されるサービスには高度なセキュリティ保護が施されている場合、ユーザはこの識別コードを視認することにより、安心して当該画像コードユニットを使用することができる。
【００１０】
本発明の第２の特徴は、（イ）情報コードを生成するステップと、（ロ）情報コードの配列パターンの周囲を取り囲む形状に設計され、情報コードの大きさを決定する際に用いた変数によって決定された大きさを有し、含まれる文字の太さは固定値である、情報コードを識別する識別コードを生成するステップと、（ハ）被印刷基体の表面に情報コード及び識別コードを印刷するステップとを含むコード生成方法とを要旨とする。
【００１１】
本発明の第２の特徴に係るコード生成方法によると、ユーザが目視によりどのようなコードであるかを識別可能な画像コードユニットを提供することができる。又、識別コードに象徴されるサービスには高度なセキュリティ保護が施されている場合、ユーザはこの識別コードを視認することにより、安心して当該画像コードユニットを使用することができる。更に、識別コードに含まれる文字の太さを固定値としているため、情報コードのサイズが大きくなったとしても、それに比例して識別コードのサイズが大きくなるわけではないので、識別コードのスペースを最小限に抑えることができ、画像コードユニットが付された紙面を圧迫する可能性が低い。
【００１２】
【発明の実施の形態】
次に、図面を参照して、本発明の実施の形態を説明する。以下の図面の記載において、同一又は類似の部分には同一又は類似の符号を付している。ただし、図面は模式的なものであることに留意すべきである。
【００１３】
（画像コードユニット）
本発明の実施の形態に係る「画像コードユニット」は、図１に示すように、ＱＲコードと呼ばれるマトリクス型の二次元コードである情報コード３５１と、情報コード１の周囲を取り囲むように配置された識別力を有する識別コード３５２を備える。情報コード３５１の一辺の長さは、図１（ａ）では８．３ｍｍ（外側のマージン込みで１０．９ｍｍ）、図１（ｂ）では１０．９ｍｍ（外側のマージン込みで１３．５ｍｍ）、図１（ｃ）では１４．９ｍｍ（外側のマージン込みで１７．５ｍｍ）である。図１（ａ）、（ｂ）、（ｃ）は、それぞれ、セルサイズを０．３３ｍｍとしたときのＱＲコードで規格されているバージョン２、４、７のサイズである。本発明の実施の形態では、ＱＲコードを例にとり説明をするが、情報コード３５１としては、国際標準規格になっているＣｏｄｅ  １６、Ｃｏｄｅ  ４９、ＭａｘｉＣｏｄｅ、Ｄａｔａ  Ｍａｔｒｉｘ、Ｃｏｄｅ  Ｏｎｅ等の二次元コード、あるいはスキャントークコードを用いても良い。又、情報コード３５１は一次元コードでも三次元コードでも構わない。ここで、三次元コードとは、二次元コード情報に加え、白黒の濃淡などの色情報を含むコードを指す。
【００１４】
識別コード３５２は、図２に示すように、「ｍｓ」を模した形状をしている。識別コードの仕様は、例えば、情報コード３５１の周囲の空白部分（以下、「クワイエットゾーン」と呼ぶ。）の長さａを、セルの一辺の４倍の長さとする。ここで、「セル」とは、情報コード３５１の最小描画単位を指す。クワイエットゾーンをセルの４倍にすることは、ＱＲコードモデル２の推奨仕様である。又、識別コード３５２の厚さｂを、クワイエットゾーンの長さａの２倍とする。「ｍｓ」の文字の太さを、０．３０１ｍｍと固定値とする。「ｍ」と「ｓ」の間隔＋文字の太さｃ、ｄは、０．３０１×１．２５ｍｍとする。又、「ｍ」と「ｓ」の幅は同じとし、「ｓ」の横線の間隔は等間隔とする。ここで、文字の太さを固定値としているため、情報コード３５１のサイズが大きくなったとしても、それに比例して識別コード３５２のサイズが大きくなるわけではないので、識別コード３５２のスペースを最小限に抑えることができ、画像コードユニット３５が付された紙面を圧迫する可能性が低い。
【００１５】
又、情報コード３５１を構成する第１の薄膜層及び識別コード３５２を構成する第２の薄膜層は、新聞、雑誌、書籍、カタログ、パンフレットなどの被印刷基体とは光学的反射特性の異なる材料である新聞インキなどで、厚さ５μｍ〜３０μｍ程度に構成されている。「新聞インキ」には鉱物油を主成分とする新聞用墨インキ及び大豆油を主成分とする新聞用カラーインキ等が含まれる。具体的には、第１及び第２の薄膜層は、カーボン（Ｃ）、合成樹脂、ロジン変成フェノール樹脂、ロジンエステル樹脂、アルキッド樹脂、植物油、アマニ油、大豆油等が含まれる材料層である。第１の薄膜層及び第２の薄膜層として用いられるものは、新聞インキの他に、オフセットインキ、グラビアインキ等の印刷用のインクや化学的・物理的処理により合成若しくは変化した被印刷基体の表面の加工層等が挙げられる。
【００１６】
本発明に係る画像コードユニットによると、情報コードの周りに識別コードが付されているので、ユーザが目視によりどのようなコードであるかを識別することができる。例えば、識別コードにデザインされた「ｍｓ」の文字により、画像コードユニットが「ｍｓ」に象徴されるサービスに適応したものであることを認識できる。「ｍｓ」に象徴されるサービスには高度なセキュリティ保護が施されている場合、ユーザはこの識別コードを視認することにより、安心して当該画像コードユニットを使用することができる。
【００１７】
（コード生成方法）
次に、本発明の実施の形態に係るコード生成方法について、図２を参照しながら、図３を用いて説明する。
【００１８】
（イ）まず、ステップＳ１において、情報コード３５１を生成する。情報コード３５１としては、上述したように、ＱＲコードやＣｏｄｅ  １６、Ｃｏｄｅ  ４９、ＭａｘｉＣｏｄｅ、Ｄａｔａ  Ｍａｔｒｉｘ、Ｃｏｄｅ  Ｏｎｅ、一次元コード、三次元コードなどが挙げられる。これらの情報コード３５１が所望の情報を有するように設計し、生成する。情報コード３５１のサイズを決定するには、表１に示すような変数が用いられ、情報コード３５１の長さ等が確定する。
【００１９】
【表１】
2004342049.tif 000003
例えば、情報コード３５１の一辺の長さは、式（１）によって表される。
【００２０】
2004342049.tif 000004
又、クワイエットゾーンの長さａを加えた情報コード３５１の一辺の長さは、式（２）によって表される。
【００２１】
2004342049.tif 000005
更に、クワイエットゾーンの長さａは、式（３）によって表される。
【００２２】
ａ＝（ＣｅｌｌＰｉｔｃｈ×２×ＱｕｉｅｔＺｏｎｅ  ）／ＣｅｌｌＵｎｉｔ×２５．４      ……（３）
（ロ）次に、ステップＳ２において、識別コード３５２を生成する。この生成には、情報コード３５１を生成する際に用いた値を使用する。識別コード３５２のサイズを決定する際にも、表１に示すような変数が用いられ、識別コード３５２の長さ等が確定する。
【００２３】
例えば、識別コード３５２の厚さｂは、式（４）によって表される。
【００２４】
ｂ＝２ａ＝（ＣｅｌｌＰｉｔｃｈ×２×ＱｕｉｅｔＺｏｎｅ  ）／ＣｅｌｌＵｎｉｔ×５０．８……（４）
又、識別コード３５２を含めた画像コードユニット３５全体の一辺の長さは、式（５）によって表される。
【００２５】
2004342049.tif 000006
又、「ｍ」及び「ｓ」の幅は、式（６）によって表される。
【００２６】
2004342049.tif 000007
識別コード３５２を生成する際、「ｍｓ」の文字の太さを固定値とする。例えば、設計性及び視認性の都合上、０．３０１ｍｍとすると良い。又、「ｍ」と「ｓ」の間隔＋文字の太さｃ、ｄも固定値とする。例えば、０．３０１×１．２５ｍｍとすると良い。又、「ｓ」の横線の間隔は等間隔とする。ここで、文字の太さを固定値としているため、情報コード３５１のサイズが大きくなったとしても、それに比例して識別コード３５２のサイズが大きくなるわけではないので、識別コード３５２のスペースを最小限に抑えることができ、画像コードユニット３５が付された紙面を圧迫する可能性が低い。
【００２７】
（ハ）次に、生成した情報コード３５１の周りに識別コード３５２を取り囲むように配置する。そして、ステップＳ３において、新聞、雑誌、書籍、カタログ、パンフレットなどの情報記録媒体などに、情報コード３５１及び識別コード３５２を印刷する。印刷された情報コード３５１及び識別コード３５２の成分としては、新聞インキ、オフセットインキ、グラビアインキ等の印刷用のインクや化学的・物理的処理により合成若しくは変化した被印刷基体の表面の加工層等が挙げられる。
【００２８】
（画像コードユニットを付す媒体例）
本発明の実施の形態に係る「画像コードユニット」は、様々なものに付すことが可能である。例えば、図４は、画像コードユニット３５を付したカタログ、新聞、雑誌等の紙媒体１００の正面図であり、図５は、その斜視図である。図６は、画像コードユニット３５を付したシール、ラベル等の貼付物１０１の正面図であり、図７は、その斜視図である。図８は、画像コードユニット３５を付した包装用箱１０２の正面図であり、図９は、その斜視図である。図１０は、画像コードユニット３５を付した液晶表示盤１０３の正面図であり、図１１は、その斜視図である。図１０および図１１により表される液晶表示盤には、セグメント形式のものと、ドットマトリクス形式のものと、タッチパネル形式のものが含まれる。図１２は、画像コードユニット３５を付した包装用瓶１０４の正面図であり、図１３は、その平面図、図１４は、その底面図、図１５は、その左側面図、図１６は、その背面図、図１７は、その斜視図である。
【００２９】
本発明の実施の形態に係る「画像コードユニット」を付した物品の形態は、意匠登録の対象となるものである。前記図４から図１７において、実線で表した部分が部分意匠として意匠登録を受ける対象となる部分である。一点鎖線は部分意匠として意匠登録を受けることができる部分とその他の部分との境界のみを表す。いずれの意匠も背面側には実線で表される部分はない。
【００３０】
（画像コードユニットを使用したシステム例）
図１８は、本発明の実施の形態に係る画像コードユニットを新聞記事をクリッピングするシステムに用いた場合の模式図である。本発明の実施の形態に係る情報記録媒体３０は、図１８に示すように、複数の記事枠３８ｉ、３８ｊ、３８ｋ、・・・・・を有するシート状の被印刷基体３０、複数の記事枠３８ｉ、３８ｊ、３８ｋ、・・・・・のそれぞれの内部に収納された記事（新聞記事）を構成するように被印刷基体３０の表面に配置された記事枠３８ｉ、３８ｊ、３８ｋ、・・・・・の内部に、記事枠と共に被印刷基体３０の表面に配置された記事枠３８ｉ、３８ｊ、３８ｋ、・・・・・を識別する画像コードユニット（クリップコード）３５ｉ、３５ｊ、３５ｋ、・・・・・とから少なくとも構成されている。シート状の被印刷基体３０は、砕木パルプを主原料とし、それに約２割程度の化学パルプやセミケミカルパルブを混合した厚さ７０μｍ〜１５０μｍの新聞紙である。
【００３１】
被印刷基体３０上のすべての記事枠に必ずしも配置されていなくても良いが、新聞紙３０上の各記事枠３８ｉ、３８ｊ、３８ｋ、・・・・・にはそれぞれ二次元コードであるクリップコード（画像コードユニット）３５ｉ、３５ｊ、３５ｋ、・・・・・が印刷されている。クリップコード３５ｉ、３５ｊ、３５ｋ、・・・・・は、それぞれ新聞紙名、発行年月日、その記事の掲載ページ、その記事枠３８ｉ、３８ｊ、３８ｋ、・・・・・に固有の記事ＩＤコード、クリッピング依頼先サービス事業者のネットアドレスなどから構成される。
【００３２】
コード読み取りアタッチメント３１には、クリッピング配信のためのメールアドレス、或いはクリッピング記事をアップするＵＲＬ、依頼主を特定するための情報などが予め格納されている。ステップＳ２１において、ユーザがコード読み取りアタッチメント３１で、例えば、該当記事の記事枠３８ｋに設けられたクリップコード３５ｋを読み取る。ステップＳ２４において、その記事枠３８ｋの記事のクリッピング依頼が、クリップコード３５ｋに記述された該当記事のＩＤ、コード読み取りアタッチメント３１内の依頼主のＩＤとともに、クリップコード３５に記述されたネットワークアドレスに基づき、携帯電話（携帯情報機器）３２ｃを介して、そのサービスを実施する新聞社などの部局に送信される。ステップＳ２５において、記事クリッピングサーバ２８は、指定された記事枠３８ｋの記事情報を、コンテンツとして、新聞記事データベース３３から指定されたメールアドレスにメール、メールの添付書類などとして送信する。又は指定されたホームページ、データアーカイブなどにアップロード、或いは送信する。
【００３３】
図１９に示すように、本発明の実施の形態に係る新聞記事クリップ配信システムは、インターネット（通信ネットワーク）２６と、このインターネット（通信ネットワーク）２６に接続された新聞記事クリップ配信サーバ２８、デジタル通信網２７の中継処理装置２２とから少なくとも構成されている。中継処理装置２２は、デジタル通信網２７により移動通信加入者交換機２３ａ、２３ｂに接続され、この移動通信加入者交換機２３ａ、２３ｂは、それぞれ、無線中継器２４ａ、２４ｂ、２４ｃ、２４ｄに接続されている。本発明の実施の形態に係る新聞記事クリップ配信システムにおいては、更に無線中継器２４ａ、２４ｂ、２４ｃ、２４ｄに、携帯情報機器３２ａ、３２ｂが接続されている。これらの携帯情報機器３２ａ、３２ｂは、図２１に示すように、それぞれ各記事枠３８ｉ、３８ｊ、３８ｋ、・・・・・毎に配置されたクリップコード３５ｉ、３５ｊ、３５ｋ、・・・・・を読み取るための二次元コード解読手段１０ｂ及び二次元コード変換手段１０ｃを備えている。携帯情報機器３２ａから発信された情報は、無線中継器２４ａ、２４ｂ、２４ｃ、２４ｄ及び移動通信加入者交換機２３ａ、２３ｂを介して、中継処理装置２２に送信される。中継処理装置２２は、インターネット２６とデジタル通信網２７のデータの仲介を行う。
【００３４】
図２０に示すように、本発明の実施の形態に係る新聞記事クリップ配信サーバ２８は、入力装置５１、出力装置５２、一時記憶装置５３、処理制御装置（ＣＰＵ）６８、登録個人情報記憶装置６９及びコンテンツ記憶装置（新聞記事データベース）３３を具備している。処理制御装置（ＣＰＵ）６８は、通信ネットワーク接続モジュール６８ａの他に、識別コード受信モジュール６８ｂ、個人情報受信モジュール６８ｃ、配信先データ受信モジュール６８ｄ、許可モジュール６８ｅ、コンテンツ選択信号受信モジュール６８ｆ、コンテンツ編集・生成モジュール６８ｇ、コンテンツ決定モジュール６８ｈ、コンテンツ配信モジュール６８ｉ等を備えている。ここで、識別コード受信モジュール６８ｂは、複数の記事枠３８ｉ、３８ｊ、３８ｋ、・・・・・を持つオフラインの情報記録媒体（新聞紙）３０の特定の記事枠３８ｉ、３８ｊ、３８ｋ、・・・・・に設けられたこの記事枠３８ｉ、３８ｊ、３８ｋ、・・・・・を識別するクリップコード３５ｉ、３５ｊ、３５ｋ、・・・・・の二次元コード、若しくはこの二次元コードに対応した文字コードを携帯情報機器３２ａ、３２ｂを介して受信する。個人情報受信モジュール６８ｃは、携帯情報機器３２ａ、３２ｂに記憶された個人情報を受信する。登録個人情報記憶装置６９は、既登録個人情報を格納する。配信先データ受信モジュール６８ｄは、コンテンツの配信先データを受信する。許可モジュール６８ｅは、受信された個人情報と既登録個人情報とを比較し、コンテンツの配信の許可若しくは不許可を決定する。コンテンツ選択信号受信モジュール６８ｆは、記事枠３８ｉ、３８ｊ、３８ｋ、・・・・・に対応して準備された複数のコンテンツの内の少なくとも１を選択するコンテンツ選択信号を受信する（複数のコンテンツの内容、即ち「配信メニュー」については後述する）。コンテンツ編集・生成モジュール６８ｇは、複数の記事枠３８ｉ、３８ｊ、３８ｋ、・・・・・の内の選択された記事枠３８ｉ、３８ｊ、３８ｋ、・・・・・について、各記事枠３８ｉ、３８ｊ、３８ｋ、・・・・・に対応した少なくとも１のコンテンツを編集・生成する。コンテンツ記憶装置（新聞記事データベース）３３は、このコンテンツ編集・生成モジュール６８ｇにより編集され、生成された複数のコンテンツを格納する。コンテンツ決定モジュール６８ｈは、クリップコード３５ｉ、３５ｊ、３５ｋ、・・・・・の二次元コード若しくは二次元コードに対応した文字コード及びコンテンツ選択信号に従い配信するコンテンツを決定する。コンテンツ配信モジュール６８ｉは、許可モジュールにより配信を許可された場合は、コンテンツ決定モジュールにより決定されたコンテンツを、配信先データにしたがって所望の配信先に配信する。
【００３５】
図２１は、本発明の実施の形態に係る携帯情報機器３２ａ、３２ｂの一例としての二次元コード読み取り機能内蔵携帯電話のブロック図である。本発明の実施の形態に係る携帯情報機器３２ａ、３２ｂは、入力装置１、表示装置２、無線装置４、音声処理装置５、ＣＯＤＥＣ（コーデック）６、データ記憶装置９、処理制御装置１０、二次元コード読取装置（画像情報読取装置）１１、個人情報記憶装置１２及び一時記憶装置１３等より構成されている。無線装置４にはアンテナ３が接続されている。無線装置４及びアンテナ３により、本発明の「通信ネットワーク接続手段」を構成している。ＣＯＤＥＣ６には、送話装置７と受話装置８が接続されている。
【００３６】
入力装置１は、０から９までの数字と、“＊”、“＃”、“Ｆ”、“△”、“▽”、“決定”、“取消”などのプッシュボタンから構成されたキーボードである。従って、本発明の実施の形態に係る携帯情報機器の使用者によって、入力装置１から入力操作が行われると、対応するキー情報が処理制御装置１０に伝えられるようになっている。入力装置１はプッシュボタンに限らず、スクロールボタンなどにより構成されていても構わない。入力装置１を用いることにより、携帯情報機器の電話機能の制御に必要な情報の入力、計算機能の制御に必要な情報の入力等に加え、本発明の新聞記事クリップ配信方法により配信される配信メニューやサービス内容の選択をすることが出来る。表示装置２は、液晶表示装置（ＬＣＤ）、発光ダイオード（ＬＥＤ）パネル、エレクトロルミネッセンス（ＥＬ）パネル等が使用可能である。いずれにしても、標準的な携帯電話における一般的な情報、例えば入力された電話番号、選択された機能項目や短縮ダイヤル等、及び、現在の携帯情報機器の状態や、選択メニュー、通信結果などを表示するものであれば、表示装置２として使用可能である。
【００３７】
アンテナ３は、電波を受信及び送信するもので、図２１では、受信用アンテナと送信アンテナを兼ねたものとして示している。無線装置４は、アンテナ３を介して受信した受信データを復調して処理制御装置１０に出力し、処理制御装置１０から出力された送信データを変調してアンテナ３へ出力するものである。無線装置４は、周知の無線装置の構成で構わない。図示を省略するが、例えば、アンテナ（受信アンテナ）３に接続された低雑音増幅器、この低雑音増幅器に接続されたミキサ、ミキサに接続された中間周波（ＩＦ）増幅器、中間周波増幅器に接続された復調器等により無線装置４を構成出来る。復調器からは、ベースバンド信号が出力され、処理制御装置１０に送られる。ミキサには、図示を省略した発信器からの信号が、低雑音増幅器からの信号と共に入力される。更に、無線装置４は、所定の入力端子を介して、処理制御装置１０からのベースバンド信号が入力される変調器、変調器に接続されたミキサ、ミキサに接続された電力増幅器を有している。ミキサには、図示を省略した発信器からの信号が、変調器からの信号と共に入力される。そして、電力増幅器はアンテナ（送信アンテナ）３に接続されるようになる。
或いは、無線装置４は、アンテナ（受信アンテナ）に接続された低雑音増幅器、この低雑音増幅器に接続されたフィルタ、フィルタに接続されたミキサ、ミキサに接続された中間周波（ＩＦ）増幅器、中間周波増幅器に接続されたＡ／Ｄ変換器とＡ／Ｄ変換器とで構成し、Ａ／Ｄ変換器の出力を処理制御装置（プロセッサ）１０に伝達しても良い。そして、処理制御装置（プロセッサ）１０に変調器を接続し、この変調器に接続されたドライバ増幅器、ドライバ増幅器に接続された位相器、位相器に接続された送信増幅器とから構成しても良い。そして、送信増幅器は、アンテナ（送信アンテナ）３に接続されるようになる。
【００３８】
送話装置７は、マイクで、使用者の音声を入力するものである。受話装置８は、スピーカーで、通話の相手の音声を出力するものである。ＣＯＤＥＣ６は、音声のアナログ信号をデジタル信号に変換し、デジタル信号をアナログ信号に変換するものである。音声処理装置５は、デジタル・シグナル・プロセッサ（ＤＳＰ）であり、デジタル音声信号を音声符号化／複合化するものである。データ記憶装置９は、ＲＯＭ及びＲＡＭが組み込まれている。ＲＯＭは、処理制御装置１０で実行される受信装置としての全体的な制御を行うプログラム（認識コード）を格納しているメモリであり、ＲＡＭは、処理制御装置１０におけるプログラム実行処理中に利用されるプログラムデータ等を格納したり、作業領域として利用されるメモリである。
【００３９】
処理制御装置１０は、本発明の実施の形態に係る携帯情報機器３２ａ、３２ｂ全体を制御する装置で、電話機能制御手段１０ａ、二次元コード解読手段（データ解読モジュール）１０ｂ、二次元コード変換手段（コード変換モジュール）１０ｃ及び情報配信データ編集手段１０ｄにより構成されている。電話機能制御手段１０ａは、従来の標準的な携帯電話の電話機能を制御する手段である。入力装置１からの入力及び呼出の受信に従って、発着制御や通話制御と、各種設定処理等を行う。
【００４０】
二次元コード解読手段１０ｂは、二次元コード読取装置１１で読み込まれたクリップコード３５ｉ、３５ｊ、３５ｋ、・・・・・の二次元コードを取得し、二次元コードが正当であるかどうかをチェックを行う。二次元コード変換手段１０ｃは、二次元コード解読手段１０ｂで読み込まれた二次元コードを文字コードに変換する。二次元コード解読手段１０ｂ及び二次元コード変換手段１０ｃを経ることによって、二次元コードは、単なる画像データからコンピュータ読み取り可能なデータに変換することが出来る。情報配信データ編集手段１０ｄは、個人情報記憶装置１２に記憶された個人情報と、二次元コード変換手段１０ｃより得られた記事情報を編集統合し、外部に発信する手段である。二次元コード読取装置１１は、各記事枠３８ｉ、３８ｊ、３８ｋ、・・・・・毎、或いは特定の記事枠に配置されるクリップコード３５ｉ、３５ｊ、３５ｋ、・・・・・の二次元コードを読み取り、本発明の本発明の実施の形態に係る携帯情報機器に取り込むものである。個人情報記憶装置１２は、所有者の個人情報、例えば氏名、住所、電子メールアドレス、クレジットカード番号などを記録するものである。一時記憶装置１３は、二次元コード読取装置１１から読み取られたクリップコード３５ｉ、３５ｊ、３５ｋ、・・・・・の二次元コードや、二次元コード解読手段１０ｂ及び二次元コード変換手段１０ｃで得られる文字コードを一時保存するための記憶装置である。図２１には特に表示していないが、これらの各装置が正常に機能するための電源回路や電池（バッテリー）等が備えられていることは勿論である。
【００４１】
本発明においては、このクリップコード３５ｉ、３５ｊ、３５ｋ、・・・・・に用いる「画像コードユニット」に、新聞紙名、発行年月日、記事の掲載ページ、その記事固有の記事ＩＤコード、クリッピング依頼先サービス事業者のネットアドレスなどの情報を保持している。ユーザは、新聞や雑誌等の情報記録媒体に表示された画像を、本発明の画像情報読取装置を有する情報処理機器で読み取ることにより、指定クリッピングサーバにアクセスすることが出来る。情報処理機器に内蔵された個人情報を元に、情報の送信を簡単に行うことが出来る。
【００４２】
図２１に示す本発明の実施の形態に係る携帯情報機器は、機械的に、インターネットに接続可能な主機能部（図１８においては携帯電話３２ｃ）と図２２に示すような主機能部に取り外し可能なコード読み取りアタッチメント３１により、アタッチメント形式で構成されても良い。アタッチメント形式の場合も、主機能部には、入力装置１、表示装置２、無線装置４、音声処理装置５、ＣＯＤＥＣ６、データ記憶装置９、処理制御装置１０及び主機能側データインターフェース（図示せず）を備えていることになる。無線装置４にはアンテナ３が接続されている。一方、アタッチメント形式の場合のコード読み取りアタッチメント３１は、二次元コード読取装置１１、個人情報記憶措置１２及び一時記憶装置１３、アタッチメント制御装置（図示せず）、アタッチメント側データインターフェース及びデータ記憶装置（図示せず）により構成されていることになる。
【００４３】
図２２に示すコード読み取りアタッチメント３１は、先端読み取り部１６１、本体円柱部１６２、接続ケーブル１３２からなる。先端読み取り部１６１は光学的読み取り用の当接部１４３を有する。この先端読み取り部１６１の内部には、光学レンズ、エリアセンサ（ＣＣＤセンサ）、照明用ＬＥＤ、ＩＣチップを有している。当接部１４３に押し当てられた新聞に対して、照明用ＬＥＤから放出された光は、拡散レンズ及び反射板により、例えば、クリップコード３５ｋ全体に照射される。クリップコード３５ｋからの反射光は複数の光学レンズによりエリアセンサのセンサ面上に結像される。エリアセンサはクリップコード３５ｋの結像光を電気信号へ変換する。クリップコード３５ｋの電気信号は、コード読み取りアタッチメント３１の処理制御装置を構成するＩＣチップに入力される。ＩＣチップに内蔵された二次元コード解読手段１０ｂにより二次元コードの解読などの所定の情報処理が施される。ＩＣチップ内の個人情報、記事情報などを外部に発信する場合などにおいてはこれらのデータを、ＩＣチップに内蔵された二次元コード変換手段により、所定の信号に変換して、携帯電話３２ｃに送信する。先端読み取り部１６１は、キャラクタデザインなどを取り入れ、交換可能とし、ユーザの嗜好に合ったものを選択出来るようにする。又、先端読み取り部１６１の首の部分の角度の変更や回転を可能とする構成にしても良い。
【００４４】
又、本体円柱部１６２は、ＬＥＤ発光部１６３、電源スイッチ１６４を有する。ＬＥＤ発光部１６３は、クリップコード３５ｋの読み取りの正常、異常完了をＬＥＤの色や発光パターンにより知らせる仕組みにしても良い。例えば、クリップコード３５ｋの読み取りに成功した場合は緑色、失敗した場合は赤色に発光させれば良い。更に、クリップコード３５ｋの読み取りに失敗した場合は赤色を点滅させても良い。ＬＥＤ発光部１６３が、本体円柱部１６２のほぼ全領域に構成されているが、本体円柱部１６２の一部に設けても良い。更に、ＬＥＤは小さな面積で高い輝度を有するので、ＬＥＤ発光部１６３を先端読み取り部１６１に設けても良い。電源スイッチ１６４は、回すことにより、ＯＮ、ＯＦＦの切り替えを可能とし、取り付け位置は本体円柱部１６２の上部、下部、その他の場所でも構わない。又、携帯電話３２ｃへの接続方法は、接続ケーブル１３２を用いてなされる。しかし、接続ケーブルを用いずに、直接接続する構成にしても良い。
【００４５】
次に、図２３を用いて、本発明の実施の形態に係る新聞記事クリップ配信方法の手順を説明する。
【００４６】
（イ）先ず、ステップＳ１１において、被印刷基体である新聞紙３０上の、複数の記事枠３８ｉ、３８ｊ、３８ｋ、・・・・・を、新聞紙３０の紙面上に定義された位置情報から特定する。位置情報には、発行年月日、発行地域、朝刊／夕刊の別など記事が掲載される新聞紙を特定する情報と、紙面上の記事の位置を特定する座標情報が含まれる。
【００４７】
紙面上の位置（座標）を特定するため、各ページを例えば縦横１０ずつの格子状にセグメントし、それぞれのセグメントに１〜１００の番号をふる。このセグメント番号と記事の掲載ページより、記事の掲載位置を特定できる。セグメントの数は、全ての記事枠内にセグメントが存在するように決定しておく。又、記事枠内に複数のセグメントが含まれることを考え、記事枠の代表点を含むセグメント番号を紙面上の記事の位置とする。記事枠の代表点の選択方法は、記事枠の縦横の中心点、記事枠の重心点、記事の開始点（右上）、クリップコード添付位置（通常記事終了位置左下）などが挙げられる。
【００４８】
（ロ）次に、ステップＳ１２において、ステップＳ１１で特定した位置情報（掲載新聞の発行年月日、発行地域、朝刊／夕刊の別、掲載記事の掲載ページ、記事枠の代表点のセグメント番号）やクリッピング依頼先事業者のネットアドレスなどをもとに、特定の記事のクリップコード３５ｉ、３５ｊ、３５ｋ、・・・・・を生成する。このクリップコードは、「画像コードユニット」であり、二次元コードのみ、あるいは、二次元コードと二次元コードの内容を視認可能なようにする解説コードとから構成されている。解説コードは、二次元コードの内容を解説するテキスト文、又は等価的に二次元コードの内容の解説として機能する視認可能な画像（ビジュアル画像）の一方、若しくは両方である。
【００４９】
記事の位置情報量は、多めに見積もって、発行年月日８桁、発行地域３桁、朝夕刊識別１桁、掲載ページ２桁、セグメント番号６桁としても、計２０桁となる。
【００５０】
又、このクリップコードを生成する時点で、それぞれの枠に入ってくる記事を特定する必要はない。このように、記事内容が決定する前にクリップコードを生成することができるので、発行直前の記事の差し替えを簡単に行うことができる。
【００５１】
（ハ）次に、記事枠３８ｉ、３８ｊ、３８ｋ、・・・・・に入る記事が確定した後、ステップＳ１３において、複数の記事枠３８ｉ、３８ｊ、３８ｋ、・・・・・の内部に、文字の配列による記事と共にクリップコード３５ｉ、３５ｊ、３５ｋ、・・・・・を配置する。ここで、記事とそれに対応する紙面位置情報が確定する。
【００５２】
（ニ）次に、ステップＳ１４において、これらのクリップコード３５ｉ、３５ｊ、３５ｋ、・・・・・が配置される紙面を校正する。クリップコードが二次元コードと、この二次元コードの内容を解説するテキスト文（解説コード）の組から構成されているときは、印刷物の編集の担当者は、正しい二次元コードが記事枠３８ｉ、３８ｊ、３８ｋ、・・・・・添付されているか否かを確認することができる。この様な印刷物の校正を経て、本発明の情報記録媒体（新聞紙）３０が用意される。
【００５３】
（ホ）次に、新聞記事データベース（コンテンツ記憶装置）３３作成者は、各記事に任意の記事ＩＤをつけ、記事データベース（コンテンツ記憶装置）３３に登録する。ステップＳ１５において、新聞記事データベース（コンテンツ記憶装置）３３の記事データ属性にクリップコードを設定する。新聞記事データベースには様々な記事のデータがあるが、クリップコードに記載された情報から一つのデータを特定できるように設定しておく。ここで、クリップコード自体をＩＤとすることも可能である。一方、新聞記事クリップ配信サーバ２８のコンテンツ編集・生成モジュール６８ｇは、複数の記事枠３８ｉ、３８ｊ、３８ｋ、・・・・・に対し、それぞれ対応した少なくとも１のコンテンツを編集・生成し、これを配信メニューとして用意する（「配信メニュー」の例は、後述するが場合によりダイナミカルに変化するコンテンツである）。新聞記事クリップ配信サーバ２８のコンテンツ記憶装置（新聞記事データベース）３３は、このコンテンツ編集・生成モジュール６８ｇにより編集され、生成された複数のコンテンツ（配信メニュー）を予め格納しておく。ダイナミカルに変化するコンテンツの場合は、時々刻々、必要なコンテンツを編集・生成することになる。したがって、コンテンツ記憶装置（新聞記事データベース）３３に格納されるコンテンツは、一般には、時々刻々、変化するダイナミカルに変化するコンテンツである。
【００５４】
（へ）次に、ステップＳ１６において、コード読み取りアタッチメント３１により、新聞紙３０上の各記事枠３８ｉ、３８ｊ、３８ｋ、・・・・・毎に配置されたクリップコード３５ｉ、３５ｊ、３５ｋ、・・・・・の内、特定のクリップコード、例えば３５ｋをクリッピングする。クリッピングとは、例えばクリップコード３５ｋに、図２２に示すコード読み取りアタッチメント３１の当接部１４３を押し当て、クリップコード３５ｋの二次元コードを読み取ることである。読み取られたクリップコード３５ｋの二次元コードは、コード読み取りアタッチメント３１の処理制御装置１０を介して、コード読み取りアタッチメント３１に内蔵された一時記憶装置１３（図２０）に記憶される。
【００５５】
（ト）次に、ステップＳ１７において、コード読み取りアタッチメントに内蔵された二次元コード解読手段１０ｂにより、一時記憶装置１３に記憶されたクリップコード３５ｋの二次元コードを解析する。更に、コード読み取りアタッチメント３１の二次元コード変換手段１０ｃにより、二次元コードを文字コードに変換する。変換された文字コードを再び一時記憶装置１３に記憶する。ここで得られる文字コードは、新聞紙名、発行年月日、その記事枠３８ｋの掲載ページ、記事枠３８ｋ固有の記事ＩＤコード、クリッピング依頼先事業者のネットアドレスなどである。
【００５６】
（チ）次に、ステップＳ１８において、コード読み取りアタッチメント３１の一時記憶装置１３に記憶された文字コードは携帯電話３２ｃに送られる。その後、ステップＳ１９において、携帯電話３２ｃの電話機能制御手段１０ａ、無線装置４、アンテナ３等を使用してインターネットに接続を行い、記事枠３８ｋに対応した記事情報（コンテンツ）の識別情報、配信先データなどを送信する。
【００５７】
（リ）次に、ステップＳ２０において、新聞記事クリップ配信サーバ２８は、識別コード受信モジュール６８ｂによりクリップコード３５ｋの二次元コードに対応した文字コードを、配信先データ受信モジュール６８ｄによりコンテンツの配信先データを携帯電話３２ｃを介して受信する。同時に、新聞記事クリップ配信サーバ２８の個人情報受信モジュール６８ｃは、携帯電話３２ｃに記憶された個人情報を受信する。このとき、携帯電話３２ｃの入力装置を用いて、記事枠３８ｋに対応した複数のコンテンツの内の少なくとも１を選択するコンテンツ選択信号を生成し、これを携帯電話３２ｃから送信することも出来る。この場合は、新聞記事クリップ配信サーバ２８のコンテンツ選択信号受信モジュール６８ｆがこのコンテンツ選択信号を受信する。
【００５８】
（ヌ）次に、ステップＳ２１において、新聞記事クリップ配信サーバ２８は、そのクリップコード３５ｋに含まれていた記事の位置情報から、新聞記事データベース（コンテンツ記憶装置）３３で、記事を特定する。
【００５９】
（ル）次に、ステップＳ２２において、新聞記事クリップ配信サーバ２８の許可モジュール６８ｅは、受信された個人情報と既登録個人情報とを比較し、コンテンツの配信の許可若しくは不許可を決定する。更に、コンテンツ決定モジュール６８ｈが、新聞記事クリップ配信サーバ２８はクリップコード３５ｋに対応した文字コード及びコンテンツ選択信号に従い配信するコンテンツを決定する。そして、配信が許可された場合は、コンテンツ配信モジュール６８ｉが、配信を決定したコンテンツを配信先データにしたがって所望の配信先に配信する。コンテンツの配布方法としては、指定されたメールアドレスへのメール、メールのＰＤＦ、ＷＯＲＤなどの添付書類としての配信、指定されたホームページ、アーカイブなどへのアップデート或いは送信、指定ファックス番号へのファックス送信、指定配送先への印刷物の郵送などが含まれる。
【００６０】
（ヲ）次に、ステップＳ２３において、新聞記事クリップ配信サーバ２８は、記事の配信履歴を登録個人情報記憶装置６９に保存する。これにより、新聞紙面上のどのページのどの位置の記事が、どんな読者に読まれているかが明確になる。
【００６１】
本発明の実施の形態に係る新聞記事クリップ配信方法は、例えば有料サービスとする。ただし、発行日に配信することが困難である場合（新聞の購読数が減少するなど）には、当日配信のクリッピングサービスに対する課金額を、新聞本紙の価格よりも高額になるように設定しても良い。
【００６２】
又、新聞記事クリップ配信方法は、新聞紙のみに限らず、折り込み広告に利用しても良い。その他、新聞社が、新聞記事クリップ配信システムユーザ向けに、カタログ雑誌、企画冊子を発行しても良い。
【００６３】
又、本発明により、新聞紙面からインターネット家電をコントロールすることが可能となる。例えば、テレビの番組欄毎に録画予約コードを貼り、そのコードをクリッピングすると、ユーザのインターネット接続されたビデオに録画予約を行うことが可能となる。番組のＩＤでコントロールすることにより、野球放送などで放送時刻がずれてもその番組がきちんと録画予約出来るようにコントロールすることも可能である。又、テレビガイドその他の雑誌の番組宣伝・紹介欄から予約を行うことも可能である。又、番組ＩＤを設定しておくことで、放送終了後の番組を広帯域回線経由でダウンロードすることにより、見逃した番組を録画することも可能である。
【００６４】
本発明の実施の形態に係る新聞記事クリップ配信システムにおいては、携帯情報機器３２ａ、３２ｂ、３２ｃの入力装置１を用いて以下のような「配信メニュー」を選択することが出来る。
【００６５】
（ａ）最新情報コード：対象となる記事枠の記事に対し、その記事に対応した最新情報をコンテンツとして用意し、企業合併、選挙速報、誘拐事件など、最新の情報（ダイナミカルなコンテンツ）をメール配信などでリアルタイム若しくはリアルタイムに近い状態で送信（配信）する。例えば、朝刊の記事のその後の進展を、その記事枠３８ｋのクリップコード３５ｋをクリッピングすることにより、携帯情報機器３２ａ、３２ｂ、３２ｃにダイナミカルなコンテンツをストリーミング配信してもらうことが出来る。その記事枠の記事そのものの配信をするのか、その記事に対応した最新情報を配信するのかの配信メニューの選択は、携帯情報機器３２ａ、３２ｂ、３２ｃの入力装置１を用いて選択すれば良い。
【００６６】
（ｂ）シリーズコード：入力装置１を用いた配信メニューの選択により、シリーズものの記事、エッセイに対し、一度その記事枠のクリップコード３５ｋをクリックすると、シリーズ全体のクリッピングサービスを継続的に行う。これにより見逃した記事もコンテンツとして入手することが出来る。
【００６７】
（ｃ）詳細情報コード：入力装置１を用いて配信メニューの選択により、新聞紙上の特定の記事枠３８ｋの詳細記事の提供を、その記事枠に対応したクリップコード３５ｋをクリッピングすることにより、比較的高額で行う。ＥＣ業種別マーケット動向調査など、情報の深さを追求出来るようにする。
【００６８】
（ｄ）株式導入インターフェース：株式売買に読者を導くようナビゲーションを行う。株式欄等の特定の記事枠３８ｋのクリップコード３５ｋをクリッピングすることにより、対応する会社の事業概要説明、最近の動向などのページにリンクし、解説を行う。又、特定の記事枠３８ｋのクリップコード３５ｋのクリッピングにより、各会社の株式の売買ページにダイレクトにアクセスし、リアルタイムで株式の売買が行える。
【００６９】
（ｅ）情報整理サポートサービス：入力装置１を用いて、サービス内容の選択により、クリッピングした新聞記事を、検索キーを付与し、自動的に個人毎に整理するためのサービスを実施する。例えば、基本分類を設定し、固有名詞で詳細分類を行う。
【００７０】
（その他の実施の形態）
本発明は、上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００７１】
又、本発明の実施の形態においては、情報処理機器として携帯電話を用いて説明したが、情報処理機器は携帯電話とは限らない。携帯電話の他に、ＰＨＳ、ＰＤＡ、ノートパソコン、電子手帳等が挙げられる。又、デジタルカメラを含むカメラ、ゲーム機、カーナビゲーション機器、スキャナー、プリンタ等の電子機器でも構わない。又更に、腕時計、眼鏡、ベルト、靴など身体に装着又は携行可能なものでも構わない。又更に、ネットワークに接続された固定電話、公衆電話、デスクトップパソコン、テレビジョンなどの電化製品でも構わない。固定情報処理機器の場合は、ＳＴＢ等を介して実施することが可能である。冷蔵庫や電子レンジであっても、ＳＴＢに類似のアタッチメントの付加等により本発明を適用可能である。
【００７２】
この様に、本発明はここでは記載していない様々な実施の形態等を含むことは勿論である。したがって、本発明の技術的範囲は上記の説明から妥当な特許請求の範囲に係る発明特定事項によってのみ定められるものである。
【００７３】
【発明の効果】
本発明によれば、情報の内容やセキュリティ対策が施されていることを目視で確認でき、紙面への圧迫を最小限に抑えたコードを付した情報記録媒体、及びそのようなコードのコード生成方法を提供することができる。
【図面の簡単な説明】
【図１】本発明の実施の形態に係る画像コードユニットの例である。
【図２】本発明の実施の形態に係る画像コードユニットの識別コードを立体的に模した図である。
【図３】本発明の実施の形態に係るコード生成方法を示すフローチャートである。
【図４】本発明の実施の形態に係る画像コードユニットを付した紙媒体の正面図である。
【図５】本発明の実施の形態に係る画像コードユニットを付した紙媒体の斜視図である。
【図６】本発明の実施の形態に係る画像コードユニットを付した貼付物の正面図である。
【図７】本発明の実施の形態に係る画像コードユニットを付した貼付物の斜視図である。
【図８】本発明の実施の形態に係る画像コードユニットを付した包装用箱の正面図である。
【図９】本発明の実施の形態に係る画像コードユニットを付した包装用箱の斜視図である。
【図１０】本発明の実施の形態に係る画像コードユニットを付した液晶表示盤の正面図である。
【図１１】本発明の実施の形態に係る画像コードユニットを付した液晶表示盤の斜視図である。
【図１２】本発明の実施の形態に係る画像コードユニットを付した包装用瓶の正面図である。
【図１３】本発明の実施の形態に係る画像コードユニットを付した包装用瓶の平面図である。
【図１４】本発明の実施の形態に係る画像コードユニットを付した包装用瓶の底面図である。
【図１５】本発明の実施の形態に係る画像コードユニットを付した包装用瓶の左側面図である。
【図１６】本発明の実施の形態に係る画像コードユニットを付した包装用瓶の背面図である。
【図１７】本発明の実施の形態に係る画像コードユニットを付した包装用瓶の斜視図である。
【図１８】本発明の実施の形態に係る新聞記事クリップ配信システムの模式図である。
【図１９】本発明の実施の形態に係る新聞記事クリップ配信システムのブロック図である。
【図２０】本発明の実施の形態に係る新聞記事クリップ配信サーバのブロック図である。
【図２１】本発明の実施の形態に係る携帯情報機器のブロック図である。
【図２２】本発明の実施の形態に係るコード読み取りアタッチメントの構造（外観）を示す斜視図である。
【図２３】本発明の実施の形態に係る新聞記事クリップ配信システムのフロー図である。
【符号の説明】
１  入力装置
２  表示装置
３  アンテナ
４  無線装置
５  音声処理装置
６  ＣＯＤＥＣ
７  送話装置
８  受話装置
９  データ記憶装置
１０  処理制御装置
１０ａ  電話機能制御手段
１０ｂ  二次元コード解読手段
１０ｃ  二次元コード変換手段
１０ｄ  情報配信データ編集手段
１１  二次元コード読取装置
１２  個人情報記憶装置
１３  一時記憶装置
２２  中継処理装置
２３ａ、２３ｂ  移動通信加入者交換機
２４ａ、２４ｂ、２４ｃ、２４ｄ  無線中継機
２６  インターネット
２７  デジタル通信網
２８  新聞記事クリップ配信サーバ
２９  ビデオクリップ配信サーバ
３０  新聞紙
３１  コード読み取りアタッチメント
３２ａ、３２ｂ  携帯情報機器
３２ｃ  携帯電話（携帯情報機器）
３３  新聞記事データベース（コンテンツ記憶装置）
３３ａ、３３ｂ、３３ｃ  コンテンツ記憶装置
３４  パソコン
３５  画像コードユニット
３５ｉ、３５ｊ、３５ｋ  クリップコード（画像コードユニット）
３８ｉ、３８ｊ、３８ｋ、３９ｌ、３９ｍ、３９ｎ  記事枠
５１  入力装置
５２  出力装置
５３  一時記憶装置
６８  処理制御装置（ＣＰＵ）
６８ａ  通信ネットワーク接続モジュール
６８ｂ  識別コード受信モジュール
６８ｃ  個人情報受信モジュール
６８ｄ  配信先データ受信モジュール
６８ｅ  許可モジュール
６８ｆ  コンテンツ選択信号受信モジュール
６８ｇ  コンテンツ編集・生成モジュール
６８ｈ  コンテンツ決定モジュール
６８ｉ  コンテンツ配信モジュール
６９  登録個人情報記憶装置
１００  紙媒体
１０１  貼付物
１０２  包装用箱
１０３  液晶表示盤
１０４  包装用瓶
１４３  当接部
１６１  先端読み取り部
１６２  本体円柱部
１６３  ＬＥＤ発光部
１６４  電源スイッチ
３５１  情報コード
３５２  識別コード
【図１】
2004342049.tif 000008
【図２】
2004342049.tif 000009
【図３】
2004342049.tif 000010
【図４】
2004342049.tif 000011
【図５】
2004342049.tif 000012
【図６】
2004342049.tif 000013
【図７】
2004342049.tif 000014
【図８】
2004342049.tif 000015
【図９】
2004342049.tif 000016
【図１０】
2004342049.tif 000017
【図１１】
2004342049.tif 000018
【図１２】
2004342049.tif 000019
【図１３】
2004342049.tif 000020
【図１４】
2004342049.tif 000021
【図１５】
2004342049.tif 000022
【図１６】
2004342049.tif 000023
【図１７】
2004342049.tif 000024
【図１８】
2004342049.tif 000025
【図１９】
2004342049.tif 000026
【図２０】
2004342049.tif 000027
【図２１】
2004342049.tif 000028
【図２２】
2004342049.tif 000029
【図２３】
2004342049.tif 000030